(57)【要約】      （修正有）【課題】身体の指圧効果と温熱効果を兼ね備えた温熱敷き部材を提供する。【解決手段】温熱敷きパッド８は、重ね合わせた生地２が縫合されて複数列形成された細長い袋体３の内部に、球形をしたセラミックスボール４が装填されているボール装填生地１と、この生地１の一面に固定されている面状発熱体５と、この面状発熱体５を覆うカバー７とで構成する。各袋体３に装填されたセラミックスボール４は略同一の大きさを有している。セラミックスボール４の大きさは、通常は、１〜１０ｍｍ程度の範囲で選択される。各袋体３に装填するセラミックスボール４の個数は、袋体３の長手方向において隣り合うセラミックスボール４の間に多少の隙間が形成される程度の個数とするが、特にこれに限定されることはない。なお、ボールは樹脂又は鉱石から形成してもよい。【選択図】図２
2006346081.tif 000002
【特許請求の範囲】
【請求項１】
重ね合わせた生地が縫合されて複数列形成された細長い袋体の内部に、ボールが装填されているボール装填生地と、この生地の一面に固定されている面状発熱体と、この面状発熱体を覆うカバーとを備えてなることを特徴とする温熱敷き部材。
【請求項２】
請求項１記載の温熱敷き部材において、ボールが略同一の大きさを備えていることを特徴とする温熱敷き部材。
【請求項３】
請求項１記載の温熱敷き部材において、温熱敷き部材が複数の領域に分けられ、同一の領域内のボールは略同一の大きさを備え、かつ、他の領域のボールと異なる大きさのボールが装填されている領域が少なくとも一つ存在していることを特徴とする温熱敷き部材。
【請求項４】
請求項１、２又は３記載の温熱敷き部材において、面状発熱体が発熱温度の異なる領域を有していることを特徴とする温熱敷き部材。
【請求項５】
請求項１〜４のいずれかに記載の温熱敷き部材において、ボールがセラミックス、樹脂、又は鉱石から形成されていることを特徴とする温熱敷き部材。
【発明の詳細な説明】
【技術分野】
【０００１】
本発明は、敷布団の上などに敷いて使用され、指圧効果と温熱効果を兼ね備えた温熱敷き部材に関する。
【背景技術】
【０００２】
従来、身体を指圧する部材として、例えば頭部を指圧できる枕カバーが提案されている（例えば特許文献１参照）。
【特許文献１】特開平１０−５０９４号公報
【０００３】
この枕カバーは、複数本の縫合箇所を有する長方形の袋に篠竹等からなるパイプを挿入してなるものである。この枕カバーを枕の上に置いて使用すると、硬いパイプで頭部が指圧されるという効果を発揮する。
【発明の開示】
【発明が解決しようとする課題】
【０００４】
しかしながら、上記枕カバーはパイプが同一方向に整然と並んでおり、方向性を有しているため、この枕カバーを枕の上に置いて使用したとき、頭部とのなじみが余り良くない面がある。また、頭部とは線接触となるため、指圧効果も低い。また、この部材は、枕カバーとして使用されるものであって、腰部や脚部等の身体全体を指圧できるものではない。また、指圧効果のみで、温熱効果は備えていない。
【０００５】
本発明が解決しようとする課題は、身体の指圧効果と温熱効果を兼ね備えた温熱敷き部材を提供することである。
【課題を解決するための手段】
【０００６】
上記課題を解決するために本発明は次の解決手段を採る。すなわち、
本発明の温熱敷き部材は、重ね合わせた生地が縫合されて複数列形成された細長い袋体の内部に、ボールが装填されているボール装填生地と、この生地の一面に固定されている面状発熱体と、この面状発熱体を覆うカバーとを備えてなることを特徴とする。
【０００７】
上記温熱敷き部材において、ボールは通常は、略同一の大きさとするが（図１及び図２参照）、大きさを異なるようにしてもよい。
【０００８】
また、温熱敷き部材が複数の領域に分けられ、同一の領域内のボールは略同一の大きさを備え、かつ、他の領域のボールと異なる大きさのボールが装填されている領域が少なくとも一つ存在しているように構成してもよい（図３参照）。
【０００９】
また、面状発熱体が発熱温度の異なる領域を有しているように構成することもできる。
【００１０】
上記ボールはセラミックス、樹脂、又は鉱石（トルマリン鉱石等）から形成される。
【発明の効果】
【００１１】
本発明の温熱敷き部材は以上の構成を有しているので、例えば敷布団にこの温熱敷き部材を敷いて使用すれば、身体がボールで適度に指圧される。また、面状発熱体から発生した熱が、ボールの間の空気に伝熱されて身体を温めると共に、ボールに伝熱されて身体を温める。この場合、ボールと点で接触している身体部分が、より高い温度で温熱される。さらに、ボールと接触している身体部分は、ボールがセラミックス等で形成されていれば、ボールが発する遠赤外線効果による温熱効果もある。したがって、本発明の温熱敷き部材によれば、ボールの間の空気部分の温熱効果と、ボール部分のより高い温熱効果の２種類の温熱効果によって身体の血行が良くなり、ボールによる指圧効果と相俟って疲労回復を可能にする。
【発明を実施するための最良の形態】
【００１２】
以下、本発明の好ましい実施形態を図面に基いて説明する。
【００１３】
図１及び図２は本発明の一実施形態を示す。１は、ボール装填生地で、重ね合わせた長方形の布地２が縫合されて細長い袋体３が複数列形成され、球形をしたセラミックスボール４が袋体３の内部に装填されている。各袋体３に装填されたセラミックスボール４は略同一の大きさを有している。セラミックスボール４の大きさは、通常は、１〜１０ｍｍ程度の範囲で選択される。本実施形態では、５ｍｍの大きさのセラミックスボール４を使用している。各袋体３に装填されるセラミックスボール４の個数は、本実施形態では、袋体３の長手方向において隣り合うセラミックスボール４の間に多少の隙間が形成される程度の個数とされているが、特にこれに限定されることはない。均一な大きさのセラミックスボール４が均一に配列されていると身体とのなじみが良好である。なお、ボール装填生地１の袋体３の材料は布に限らないことは言うまでもない。
【００１４】
上記ボール装填生地１は次のようにして形成されている。すなわち、２枚の長方形の布地を重ね合わせ、三辺の周縁に沿って縫合する。次に、縫合されていない辺から対向する縫合辺までの間を直線状に縫合する。この縫合を等間隔をおいて複数行い、一端部が開口した細長い袋体を複数列形成する。次に、各袋体に各袋体の幅寸法よりも少し小さい大きさのセラミックスボールを装填した後、開口辺の周縁を縫合する。
【００１５】
上記ボール装填生地１の一面に面状発熱体５が固定されている。６は面状発熱体５の配線コードである。
【００１６】
７は、布地製のカバーで、面状発熱体５を覆うようにしてボール装填生地１に縫着されている。なお、カバー７の材料は布に限らないことは言うまでもない。
【００１７】
上記ボール装填生地１、セラミックスボール４、面状発熱体５、及びカバー７で構成された本発明の温熱敷きパッド８は、例えば敷布団の上に敷かれて使用される。なお、図に示された温熱敷きパッド８は構造を説明するもので、実際に敷布団の上に敷いて使用される温熱敷きパッドは、敷布団の上に敷かれる所定の大きさを備え、それに見合う多数のセラミックスボールが配列されている。このようにして使用すると、身体がセラミックスボール４で適度に指圧される。また、面状発熱体５から発生した熱が、セラミックスボール４の間の空気に伝熱されて身体を温めると共に、セラミックスボール４に伝熱されて身体を温める。この場合、セラミックスボール４と点で接触している身体部分が、より高い温度で温熱される。さらに、セラミックスボール４と接触している身体部分は、セラミックスボール４が発する遠赤外線効果による温熱効果もある。したがって、本発明の温熱敷きパッド８によれば、セラミックスボール４の間の空気部分の温熱効果と、セラミックスボール４部分のより高い温熱効果の２種類の温熱効果によって身体の血行が良くなり、セラミックスボール４による指圧効果と相俟って疲労回復を可能にする。
【００１８】
図３は、本発明の別の実施形態を示す。この実施形態が上記実施形態と相違する点は、セラミックスボールの大きさにある。すなわち、本実施形態においては、温熱敷きパッド８が長手方向に２つの領域に分けられ、一方の領域のセラミックスボール４は大きく、他方のセラミックスボール４は小さい大きさとしたものである。このようにすると、セラミックスボール４の大きさの違いにより指圧及び温熱効果が異なる領域ができる。したがって、例えば、身体の腰部には指圧及び温熱効果の高い領域を配置するなど、疲労度合等に応じて適宜選択配置すればよい。
【００１９】
本発明は更に次のように構成してもよい。本実施形態が最初の実施形態と相違する点は、面状発熱体の構成にある。すなわち、本実施形態においては、面状発熱体５が長手方向において発熱温度の異なる２つの領域を有している。このようにすると、温熱敷きパッド８に長手方向において温熱効果が異なる２つの領域ができる。すなわち、発熱温度が高く、温熱効果の高い領域と、発熱温度が低く、温熱効果の低い領域の２つの領域ができる。したがって、例えば、身体の腰部には温熱効果の高い領域を配置するなど、疲労度合等に応じて適宜選択配置すればよい。
【００２０】
なお、上記例では、セラミックスボール４の大きさや面状発熱体５の発熱温度を２つの領域で異なるようにしたものを示したが、本発明はこれらに限らないことは言うまでもない。
【図面の簡単な説明】
【００２１】
【図１】本発明の一実施形態を示す平面図である。
【図２】図１のＡ−Ａ線断面図である。
【図３】本発明の別の実施形態を示す平面図である。
【符号の説明】
【００２２】
１  ボール装填生地
２  布地
３  袋体
４  セラミックスボール
５  面状発熱体
６  配線コード
７  カバー
８  温熱敷きパッド
【図１】
2006346081.tif 000003
【図２】
2006346081.tif 000004
【図３】
2006346081.tif 000005